(57)【要約】【課題】入隅を構成する左右の壁材の厚さが大きく異なった場合においても外観良く施工することができ、位置ずれによるジョイナーカバー間に隙間の生じる恐れが少ない入隅ジョイナー装置を提供する。【解決手段】略直角に形成された型材の直角片２、３の内面各々に嵌合部４、５を突出形成して入隅ベース１を形成し、カバー片８、１０の裏面側に係止部９、１１を突出形成すると共にカバー片８、１０を屈曲自在可能片としてジョイナーカバー６、７を形成し、入隅部に入隅ベース１を固定し入隅ベース１の各嵌合部４、５に各ジョイナーカバー６、７の係止部９、１１を各々嵌合係止して二個のジョイナーカバーを６、７入隅部側のカバー片８、１０端部相互を重合或いは弾接して取り付けてなる。【選択図】図２
2008121323.tif 000002
【特許請求の範囲】
【請求項１】
略直角に形成された型材の直角片の内面各々に嵌合部を突出形成して入隅ベースを形成し、カバー片の裏面側に係止部を突出形成すると共にカバー片を屈曲自在可能片としてジョイナーカバーを形成し、入隅部に入隅ベースを固定し入隅ベースの各嵌合部に各ジョイナーカバーの係止部を各々嵌合係止して二個のジョイナーカバーを入隅部側のカバー片端部相互を重合して取り付けてなる入隅ジョイナー装置。
【請求項２】
略直角に形成された型材の直角片の内面各々に嵌合部を突出形成して入隅ベースを形成し、カバー片の裏面側に係止部を突出形成すると共にカバー片を屈曲自在可能片としてジョイナーカバーを形成し、入隅部に入隅ベースを固定し入隅ベースの各嵌合部に各ジョイナーカバーの係止部を各々嵌合係止して二個のジョイナーカバーを入隅部側のカバー片端部相互を弾接して取り付けてなる入隅ジョイナー装置。
【発明の詳細な説明】
【技術分野】
【０００１】
本発明は、建築物の入隅部に用いられる入隅ジョイナー装置に関する。さらに詳しくは、入隅部を構成する左右の壁材の厚みが異なった場合においても施工が外観良く容易に行え、而も、入隅部に隙間の生ずる恐れが少ない入隅ジョイナー装置に関するものである。
【背景技術】
【０００２】
従来から下記特許文献１の図４、図５に示される入隅ジョイナー装置は知られている。即ち、この入隅ジョイナー装置は入隅ベースの内角部に嵌合部を突出形成し、直角に形成されたカバー片の外角部に係止部を突出形成してジョイナーカバーを形成し、入隅部に入隅ベースを固定し、入隅ベース内角部の嵌合部にジョイナーカバーの係止部を嵌合係止してなるものである。
【０００３】
この従来の入隅ジョイナー装置は左右の壁材の厚さが略同じである場合は外観良く施工できるものであるが、壁材の厚さが大きく異なる場合、ジョイナーカバーが傾いて見えることになり外観が良くないものとなる。壁材の厚さが大きく異なる場合は、例えば増築や改築の場合にしばしば生じるものである。即ち、既存の壁を片側に残し、損傷した他方の壁を金属サイジングで形成する場合等である。金属サイジングは薄い壁材であるために左右の壁材の厚さが大きく異なることになりジョイナーカバーが一体ものであるために傾いた状態に見え、外観が悪くなるものであった。
【特許文献１】特開２００２−０７０２８３号公報  （図４、図５）
【発明の開示】
【発明が解決しようとする課題】
【０００４】
本発明は、上記従来例における入隅ジョイナー装置の欠点を解決するもので、入隅を構成する左右の壁材の厚さが大きく異なった場合においても外観良く施工することができる入隅ジョイナー装置を提供することをその課題とするものである。
【課題を解決するための手段】
【０００５】
上記課題を解決するために、本発明にかかる入隅ジョイナー装置は、略直角に形成された型材の直角片の内面各々に嵌合部を突出形成して入隅ベースを形成し、カバー片の裏面側に係止部を突出形成すると共にカバー片を屈曲自在可能片としてジョイナーカバーを形成し、入隅部に入隅ベースを固定し入隅ベースの各嵌合部に各ジョイナーカバーの係止部を各々嵌合係止して二個のジョイナーカバーを入隅部側のカバー片端部相互を重合して取り付けてなるものである。
【０００６】
本発明にかかる他の一つの入隅ジョイナー装置は、略直角に形成された型材の直角片の内面各々に嵌合部を突出形成して入隅ベースを形成し、カバー片の裏面側に係止部を突出形成すると共にカバー片を屈曲自在可能片としてジョイナーカバーを形成し、入隅部に入隅ベースを固定し入隅ベースの各嵌合部に各ジョイナーカバーの係止部を各々嵌合係止して二個のジョイナーカバーを入隅部側のカバー片端部相互を弾接して取り付けてなるものである。
【発明の効果】
【０００７】
請求項１に記載の入隅ジョイナー装置は、入隅ベースの直角片内面各々の嵌合部に各ジョイナーカバーの係止部を各々嵌合係止しジョイナーカバーのカバー片を屈曲自在可能片とし、さらに入隅部側のカバー片端部相互を弾接したために、左右の壁材の厚さが異なってもカバー片で対応することができ二つのジョイナーカバーが一体ではなく別個のものであるために他方に影響を及ぼさず、傾いて見える外観にならず、しかも二つのジョイナーカバーが入隅部側のカバー片端部相互を弾接しているために隙間の生ずる恐れが少ないものである。
【０００８】
又、請求項２に記載の入隅ジョイナー装置は、入隅ベースの直角片内面各々の嵌合部に各ジョイナーカバーの係止部を各々嵌合係止しジョイナーカバーのカバー片を屈曲自在可能片とし、さらに入隅部側のカバー片端部相互を重合したために、左右の壁材の厚さが異なってもカバー片で対応することができ二つのジョイナーカバーが一体ではなく別個のものであるために他方に影響を及ぼさず、傾いた外観にならず、しかも二つのジョイナーカバーが入隅部側のカバー片端部相互を重合しているために隙間の生ずる恐れが少ないものである。
【発明を実施するための最良の形態】
【０００９】
以下、本発明の実施形態について図面を参照して、詳細に説明する。図１は本発明の実施例である入隅ジョイナー装置を示す分解斜視図、図２は図１に示す実施例の施工状態を示す横断面説明図、図３は本発明の異なった実施例の施工状態を示す横断面説明図である。
【００１０】
図１及び図２において、１は入隅ベースを示すもので、略直角に形成された型材の直角片２、３の内面に各々嵌合部４、５を形成してなるものである。この型材は、例えばアルミニウム、硬質合成樹脂等で形成されるものである。６、７は各々ジョイナーカバーを示すもので、ジョイナーカバー６はカバー片８の裏面側に係止部９を突出形成してなるものである。又、ジョイナーカバー７はカバー片１０の裏面側に係止部１１を突出形成してなるものである。ジョイナーカバー６、７は、例えば鋼板を折曲して形成されるもので、係止部９、１１は弾性により拡開自在な係止片で形成されている。
【００１１】
入隅ベース１の嵌合部４、５とジョイナーカバー６、７の係止部９、１１の形状は図１、図２に限定されるものでなく、他の構造であっても良いことは当然のことである。ジョイナーカバー６、７のカバー片８、１０は屈曲自在可能片で形成されている。屈曲自在可能片とは施工現場においてカバー片８、１０を簡単な道具で自在に屈曲することができるもので、例えば薄板鋼板で形成した場合である。
【００１２】
この入隅ジョイナー装置を施工するには、図２に示す如く、入隅ベース１を入隅部に固定し、左右より壁材１２、１３端部を入隅ベース１に載置する。次に、ジョイナーカバー６の係止部９を入隅ベース１の嵌合部４に嵌合係止し、ジョイナーカバー７の係止部１１を入隅ベース１の嵌合部５に嵌合係止する。ジョイナーカバー６、７を嵌合係止した状態ではカバー片８、１０の入隅部側端部は弾接状態で密着しているために位置ずれを弾性により吸収し隙間が生じる恐れが少ないものである。
【００１３】
又、壁材１２、１３の間に厚さが異なって、壁材１３が薄い場合、カバー片１０が屈曲自在可能片で形成されているために容易に壁材１３に沿う形に屈曲することができるものである。この場合、ジョイナーカバー６、７が別個のものであるために片方を屈曲しても他方に影響を与えないものであると共に入隅部側端部に影響を与えないもので外観が良いものである。
【００１４】
図３に示す入隅ジョイナー装置はジョイナーカバー１４のカバー片１６とジョイナーカバー１５のカバー片１７が入隅部側端部において重合している状態を示すものである。カバー片１６、１７の入隅部側端部において重合しているためにジョイナーカバー１４、１５の間に位置ずれが生じても重合部で吸収され、隙間が生じる恐れが少ないものである。
【図面の簡単な説明】
【００１５】
【図１】本発明にかかる入隅ジョイナー装置の実施例の分解斜視図。
【図２】図１に示す実施例の入隅ジョイナー装置の横断面説明図。
【図３】本発明の異なった実施例の入隅ジョイナー装置の横断面説明図。
【符号の説明】
【００１６】
１            入隅ベース
２、３        直角片
４、５        嵌合部
６、７        ジョイナーカバー
８、１０      カバー片
９、１１      係止部
１２、１３    壁材
１４、１５    ジョイナーカバー
１６、１７    カバー片
【図１】
2008121323.tif 000003
【図２】
2008121323.tif 000004
【図３】
2008121323.tif 000005